【手続補正書】
【提出日】平成25年8月27日(2013.8.27)
【手続補正１】
【補正対象書類名】明細書
【補正対象項目名】０２７１
【補正方法】変更
【補正の内容】
【０２７１】
本明細書中に引用される特許、特許文献、及び刊行物の完全な開示は、それぞれが個々に組み込まれたかのように、その全体が参照することによって組み込まれている。本発明の範囲及び趣旨から逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。本発明の実施態様の一部を以下の項目［１］−［３２］に列記する。
［１］
酸性官能基又は塩基性官能基を含むＰＳＡ層であって、前記ＰＳＡがＰＳＡ  １グラムあたり少なくとも０．８４ミリモルの酸性官能基又は塩基性官能基を含む、ＰＳＡ層、及び
前記ＰＳＡが酸性官能基を含む場合には塩基性であり、前記ＰＳＡが塩基性官能基を含む場合には酸性である、ＭＶＴＲ改質材料、を含む医療用物品であって、
前記ＭＶＴＲ改質材料は前記ＰＳＡと不混和性であり、かつ流体の存在下で接触時に前記ＰＳＡの前記官能基と反応して高分子塩を形成する、医療用物品。
［２］
前記ＰＳＡが官能性ポリマーを含み、かつ前記ポリマーが、前記ＰＳＡの総重量に基づいて、少なくとも６重量％の酸性官能性モノマー又は塩基性官能性モノマーから調製されている、項目１に記載の医療用物品。
［３］
前記ＰＳＡが、ＰＳＡ  １グラムあたり少なくとも１．８ミリモルの酸性官能基又は塩基性官能基を含む、項目１に記載の医療用物品。
［４］
前記ＭＶＴＲ改質材料が、前記ＰＳＡ層の表面上に配置されている、項目１〜４のいずれか一項に記載の医療用物品。
［５］
前記ＭＶＴＲ改質材料が、前記ＰＳＡ層の表面上にパターンコーティングされている、項目４に記載の医療用物品。
［６］
更に第二ＰＳＡ層を含み、前記ＭＶＴＲ改質材料が前記２つのＰＳＡ層の間に配置されている、項目１に記載の医療用物品。
［７］
前記ＭＶＴＲ改質材料が、前記ＰＳＡ層と接触している足場部材内に組み込まれている、項目１〜４のいずれか一項に記載の医療用物品。
［８］
前記医療用物品がバッキングを含み、かつ前記ＭＶＴＲ改質材料が前記ＰＳＡ層と前記バッキングの間に配置されている、項目１に記載の医療用物品。
［９］
更にｐＨ変換層を含み、前記ＭＶＴＲ改質材料が、前記ＰＳＡ層と前記ｐＨ変換層の間に配置され、前記ｐＨ変換層は、ポリアクリル酸、クエン酸、及びこれらの組み合わせからなる群から選択されたｐＨ変換材料を含む、項目１に記載の医療用物品。
［１０］
更に濾過層を含み、該濾過層が前記ＭＶＴＲ改質材料と対象部位の間に配置されている、項目１に記載の医療用物品。
［１１］
前記ＭＶＴＲ改質材料と前記官能基のモル比が０．１：１〜１００：１である、項目１に記載の医療用物品。
［１２］
前記ＰＳＡ層と接触しているキャリアフィルム、
前記キャリアフィルムと前記接着剤層の間に配置された吸収性パッド、及び
支持層と前記ＰＳＡ層の間に配置されたバッキング、を更に含む、項目１に記載の医療用物品。
［１３］
前記ＰＳＡ層が、酸性官能基を有するポリマーを含み、かつ前記ＭＶＴＲ改質材料が塩基性である、項目１に記載の医療用物品。
［１４］
前記ＭＶＴＲ改質材料が、水酸化ナトリウム、水酸化カリウム、水酸化カルシウム、水酸化リチウム、水酸化銀、水酸化亜鉛、水酸化アンモニウム、水酸化マグネシウム、水酸化バリウム、水酸化ストロンチウム、水酸化セシウム、水酸化ルビジウム、炭酸アンモニウム、炭酸ナトリウム、重炭酸ナトリウム、炭酸カリウム、重炭酸カリウム、炭酸銀、炭酸リチウム、重炭酸リチウム、重炭酸バリウム、炭酸マグネシウム、炭酸セシウム、これらの水和物、及びこれらの組み合わせからなる群から選択された塩基を含む、項目１３に記載の医療用物品。
［１５］
前記ＰＳＡが、ゴム系接着剤、（メタ）アクリル、ポリ（α−オレフィン）、ポリウレタン、シリコーン、及びこれらの組み合わせを含む、項目１３又は１４に記載の医療用物品。
［１６］
前記ＰＳＡが塩基性官能基を含み、かつ前記ＭＶＴＲ改質材料が酸性である、項目１に記載の医療用物品。
［１７］
前記ＰＳＡがアミンポリマーを含む、項目１９に記載の医療用物品。
［１８］
少なくとも１２００ｇ／ｍ２／２４時間の湿潤時ＭＶＴＲを有する、項目１〜１７のいずれか一項に記載の医療用物品。
［１９］
前記ＰＳＡ層が、全体に均一に分散したＭＶＴＲ改質材料を含まない、項目１に記載の医療用物品。
［２０］
第１主表面と第２主表面とを有するバッキング、
前記バッキングの第１主表面の少なくとも一部分の上に配置されたＰＳＡ層、及び
前記ＰＳＡ層に近接したＭＶＴＲ改質層、を含む創傷用ドレッシングであって、前記ＰＳＡは酸性官能基又は塩基性官能基を含み、前記ＰＳＡはＰＳＡ  １グラムあたり少なくとも０．８４ミリモルの酸性官能基又は塩基性官能基を含み、前記ＭＶＴＲ改質層は、前記ＰＳＡが酸性官能基を含む場合には塩基性であり、前記ＰＳＡが塩基性官能基を含む場合には酸性である、ＭＶＴＲ改質材料を含み、
前記ＭＶＴＲ改質材料は前記ＰＳＡと不混和性であり、かつ流体の存在下で接触時に前記官能基と反応して高分子塩を形成する、創傷用ドレッシング。
［２１］
前記ＭＶＴＲ改質層が足場部材を含む、項目２０に記載の創傷用ドレッシング。
［２２］
更に吸収層を含み、該吸収層はポリマーファブリック、ポリマーフォーム、又はこれらの組み合わせを含む、項目２０に記載の創傷用ドレッシング。
［２３］
前記ＭＶＴＲ改質層が、前記ＰＳＡ層の少なくとも一部分と直接接触している、項目２０に記載の創傷用ドレッシング。
［２４］
前記ＰＳＡがカルボン酸基を含む、項目２０に記載の創傷用ドレッシング。
［２５］
前記ＭＶＴＲ改質材料が、水酸化ナトリウム、水酸化カリウム、水酸化カルシウム、水酸化リチウム、水酸化銀、水酸化亜鉛、水酸化アンモニウム、水酸化マグネシウム、水酸化バリウム、水酸化ストロンチウム、水酸化セシウム、水酸化ルビジウム、炭酸アンモニウム、炭酸ナトリウム、重炭酸ナトリウム、炭酸カリウム、重炭酸カリウム、炭酸銀、炭酸リチウム、重炭酸リチウム、重炭酸バリウム、炭酸マグネシウム、炭酸セシウム、これらの水和物、及びこれらの組み合わせからなる群から選択された塩基を含む、項目２４に記載の創傷用ドレッシング。
［２６］
前記ＰＳＡが塩基性アミン基を含む、項目２０に記載の創傷用ドレッシング。
［２７］
第１主表面と第２主表面とを有するバッキング、
前記バッキングの第１主表面の少なくとも一部分の上に配置されたＰＳＡ層、
前記バッキングの第２主表面に剥離可能に接着された支持層、及び
前記ＰＳＡ層と接触したＭＶＴＲ改質材料を含むＭＶＴＲ改質層、を含む創傷用ドレッシングであって、前記ＰＳＡ層は酸性官能基を含み、前記ＰＳＡ層は、全体に均一に分散したＭＶＴＲ改質材料を含まず、
前記ＭＶＴＲ改質材料は塩基性であり、前記ＰＳＡと不混和性であり、かつ流体の存在下で接触時に前記官能基と反応して高分子塩を形成する、創傷用ドレッシング。
［２８］
前記ＰＳＡが、ＰＳＡ  １グラムあたり少なくとも０．８４ミリモルの酸性官能基を含有する、項目２７に記載の創傷用ドレッシング。
［２９］
第１主表面と第２主表面とを有するバッキング、
前記バッキングの第１主表面の少なくとも一部分の上に配置されたＰＳＡ層、
前記バッキングの第２主表面に剥離可能に接着された支持層、及び
前記ＰＳＡ層と接触したＭＶＴＲ改質材料を含むＭＶＴＲ改質層、を含む創傷用ドレッシングであって、
前記ＰＳＡが、酸性官能基を有する（メタ）アクリレートポリマーを含み、前記ポリマーが、前記ＰＳＡの総重量に基づいて、少なくとも６重量％の酸性官能性モノマーから調製され、前記ＭＶＴＲ改質材料が塩基性であり、前記ＰＳＡと不混和性であり、かつ流体の存在下で接触時に前記ポリマーの前記官能基と反応して高分子塩を形成する、創傷用ドレッシング。
［３０］
医療用物品中の、接着剤層の水蒸気透過率を増加させる方法であって、
酸性官能基又は塩基性官能基を含むＰＳＡ層を提供すること、
前記ＰＳＡが酸性官能基を含む場合には塩基性であり、前記ＰＳＡが塩基性官能基を含む場合には酸性である、ＭＶＴＲ改質材料を提供すること、及び
使用時に前記医療用物品が流体と接触する際に、前記ＭＶＴＲ改質材料を前記ＰＳＡと接触させるような、前記医療用物品内の位置に、前記ＭＶＴＲ改質材料を配置すること、を含み、
前記ＰＳＡ層は、ＰＳＡ  １グラムあたり少なくとも０．８４ミリモルの酸性官能基又は塩基性官能基を含み、前記ＭＶＴＲ改質材料は前記ＰＳＡと不混和性であり、前記ＭＶＴＲ改質材料、前記ＰＳＡ、及び流体の間の接触が、酸塩基反応を生じさせて、高分子塩を形成し、前記ＰＳＡ層の少なくとも一部分の水分透過性を増加させる、方法。
［３１］
医療用物品中の、接着剤層の水蒸気透過率を増加させる方法であって、
酸性官能基を有するポリマー又は塩基性官能基を有するポリマーを含むＰＳＡ層を提供すること、
前記ＰＳＡが酸性官能性ポリマーを含む場合には塩基性であり、前記ＰＳＡが塩基性官能性ポリマーを含む場合には酸性である、ＭＶＴＲ改質材料を提供すること、及び
使用時に前記医療用物品が流体と接触する際に、前記ＭＶＴＲ改質材料を前記ＰＳＡと接触させるような、前記医療用物品内の位置に、前記ＭＶＴＲ改質材料を配置すること、を含み、
前記ポリマーは、前記ＰＳＡの総重量に基づいて少なくとも６重量％の前記酸性官能性又は塩基性官能性モノマーから調製され、前記ＭＶＴＲ改質材料は前記ＰＳＡと不混和性であり、前記ＭＶＴＲ改質材料、前記ＰＳＡ、及び流体の間の接触が、酸塩基反応を生じさせて、高分子塩を形成し、前記ＰＳＡ層の少なくとも一部分の水分透過性を増加させる、方法。
［３２］
前記ＭＶＴＲ改質材料を前記ＰＳＡと接触させるような、前記医療用物品内の位置に、前記ＭＶＴＲ改質材料を配置することが、
足場部材を提供すること、
前記ＭＶＴＲ改質材料で前記足場部材をコーティングすること、及び
前記コーティングした足場部材を前記ＰＳＡ層の少なくとも一部分に接触させること、を含む、項目３０又は３１に記載の方法。
【手続補正２】
【補正対象書類名】特許請求の範囲
【補正対象項目名】全文
【補正方法】変更
【補正の内容】
【特許請求の範囲】
【請求項１】
酸性官能基又は塩基性官能基を含むＰＳＡ層であって、前記ＰＳＡがＰＳＡ  １グラムあたり少なくとも０．８４ミリモルの酸性官能基又は塩基性官能基を含む、ＰＳＡ層、及び
前記ＰＳＡが酸性官能基を含む場合には塩基性であり、前記ＰＳＡが塩基性官能基を含む場合には酸性である、ＭＶＴＲ改質材料、を含む医療用物品であって、
前記ＭＶＴＲ改質材料は前記ＰＳＡと不混和性であり、かつ流体の存在下で接触時に前記ＰＳＡの前記官能基と反応して高分子塩を形成する、医療用物品。
【請求項２】
前記ＰＳＡが官能性ポリマーを含み、かつ前記ポリマーが、前記ＰＳＡの総重量に基づいて、少なくとも６重量％の酸性官能性モノマー又は塩基性官能性モノマーから調製されている、請求項１に記載の医療用物品。
【請求項３】
前記ＰＳＡ層が、酸性官能基を有するポリマーを含み、かつ前記ＭＶＴＲ改質材料が塩基性である、請求項１に記載の医療用物品。
【請求項４】
前記ＭＶＴＲ改質材料が、水酸化ナトリウム、水酸化カリウム、水酸化カルシウム、水酸化リチウム、水酸化銀、水酸化亜鉛、水酸化アンモニウム、水酸化マグネシウム、水酸化バリウム、水酸化ストロンチウム、水酸化セシウム、水酸化ルビジウム、炭酸アンモニウム、炭酸ナトリウム、重炭酸ナトリウム、炭酸カリウム、重炭酸カリウム、炭酸銀、炭酸リチウム、重炭酸リチウム、重炭酸バリウム、炭酸マグネシウム、炭酸セシウム、これらの水和物、及びこれらの組み合わせからなる群から選択された塩基を含む、請求項３に記載の医療用物品。
【請求項５】
前記ＰＳＡが塩基性官能基を含み、かつ前記ＭＶＴＲ改質材料が酸性である、請求項１に記載の医療用物品。